(57)【要約】【課題】簡易な構造であり、低コストで引戸の幅方向の位置調整が可能となり、しかも、取付け作業が容易であり、引戸の幅方向の位置調整が容易に行える戸首用ガイド部材及び引戸を提供する。【解決手段】引戸の上端に固着するための戸首用ガイド部材であって、第１のねじが挿通可能な第１の貫通孔と、第２のねじが挿通可能であり、第１の貫通孔を中心として枢動する際に第２のねじを案内する長孔形状を有する第２の貫通孔と、この第２の貫通孔の存在する領域の外周端に形成されており、引戸の上端が嵌挿される溝の前後両側壁にそれぞれ摺動可能な２つの摺動面とを備えている。【選択図】図１
2008101359.tif 000002
【特許請求の範囲】
【請求項１】
引戸の上端に固着するための戸首用ガイド部材であって、第１のねじが挿通可能な第１の貫通孔と、第２のねじが挿通可能であり、前記第１の貫通孔を中心として枢動する際に前記第２のねじを案内する長孔形状を有する第２の貫通孔と、該第２の貫通孔の存在する領域の外周端に形成されており、引戸の上端が嵌挿される溝の前後両側壁にそれぞれ摺動可能な２つの摺動面とを備えたことを特徴とする戸首用ガイド部材。
【請求項２】
前記第２の貫通孔の存在する領域の外周端が、円の一部をなす平面形状を有していることを特徴とする請求項１に記載の戸首用ガイド部材。
【請求項３】
前記２つの摺動面が、前記外周端において、前記円の中心に対して対称な位置に形成されていることを特徴とする請求項２に記載の戸首用ガイド部材。
【請求項４】
前記２つの摺動面間の距離が、前記溝の前後両側壁間の距離と等しいか又はわずかに小さいことを特徴とする請求項１から３のいずれか１項に記載の戸首用ガイド部材。
【請求項５】
前記２つの摺動面間の距離が、前記戸首部の上端の幅より大きいことを特徴とする請求項１から４のいずれか１項に記載の戸首用ガイド部材。
【請求項６】
前記第２の貫通孔が、前記第１の貫通孔と同心の円の一部に沿って伸長していることを特徴とする請求項１から５のいずれか１項に記載の戸首用ガイド部材。
【請求項７】
前記第１の貫通孔及び前記第２の貫通孔の周囲に座繰り部がそれぞれ形成されていることを特徴とする請求項１から６のいずれか１項に記載の戸首用ガイド部材。
【請求項８】
請求項１から７のいずれか１項に記載の少なくとも２つの戸首用ガイド部材を前記第１のねじ及び前記第２のねじにより、引戸の上端に固着したことを特徴とする引戸。
【発明の詳細な説明】
【技術分野】
【０００１】
本発明は、戸首用ガイド部材及びこの戸首用ガイド部材を取付けてなる引戸に関する。
【背景技術】
【０００２】
特許文献１には、引戸に反りが生じた場合に、片引きの引戸では方立てとの接触、引違いの引戸では引戸同士の接触が起ることを解消する戸首金具が開示されている。この戸首金具は、引戸上面に取付けられる基体部と、鴨居溝内に嵌挿される戸首部とからなり、この戸首部が引戸の表裏方向（幅方向）に移動調整可能となるように基体部上に載置されている。より具体的には、戸首部に調整ねじを挿通すると共に引戸の幅方向に細長い横長状のスロットが形成されており、調整ねじの挿通位置をスロット内において変えることによって、引戸に固定された基体部に対して戸首部を引戸の幅方向に移動させてその位置を調整するものである。
【０００３】
特許文献２には、異なる規格の引戸に対してもリフォームに要するコストを低減できる戸首部材が開示されている。この戸首部材には、引戸の幅方向に延びる長穴が貫通して設けられており、この長穴にねじ、釘等を挿通して引戸本体の上端部に固着することにより、引戸部材の取付け位置を長穴に沿って引戸本体の厚み方向に調整可能としている。
【０００４】
【特許文献１】特開平１０−３１７７８０号公報
【特許文献２】特開２００５−１７１５１１号公報
【発明の開示】
【発明が解決しようとする課題】
【０００５】
特許文献１及び２に開示されている従来技術によれば、引戸の幅方向の位置を調整することができるが、特殊な構造の戸首金具や戸首部材を引戸本体に新たに取付ける必要があり、構造が複雑となるのみならず、取付けに手間がかかり、また、コストが増大するという大きな問題が生ずる。しかも、既に戸首部が存在している構造の引戸においては、そのままでは取付け不能となる。
【０００６】
従って、本発明の目的は、簡易な構造であり、低コストで引戸の前後両方向の位置調整が可能となる戸首用ガイド部材及び引戸を提供することにある。
【０００７】
本発明の他の目的は、取付け作業が容易であり、引戸の前後両方向の位置調整が容易に行える戸首用ガイド部材及び引戸を提供することにある。
【課題を解決するための手段】
【０００８】
本発明によれば、引戸の上端に固着するための戸首用ガイド部材であって、第１のねじが挿通可能な第１の貫通孔と、第２のねじが挿通可能であり、第１の貫通孔を中心として枢動する際に第２のねじを案内する長孔形状を有する第２の貫通孔と、この第２の貫通孔の存在する領域の外周端に形成されており、引戸が嵌挿される溝の前後両側壁にそれぞれ摺動可能な２つの摺動面とを備えた戸首用ガイド部材が提供される。
【０００９】
この戸首用ガイド部材を引戸の上端の所定位置に載置して、第１のねじを第１の貫通孔に挿通すると共に第２のねじを第２の貫通孔に挿通し、第１のねじを挿通した第１の貫通孔を中心として枢動させて、第２の貫通孔における第２のねじの挿通位置を調整することによって、各摺動面の引戸上端前後両側面（表面又は裏面）からの突出長さを、換言すれば、２つの摺動面の引戸首部に対する前後方向位置を調整する。これにより、簡単な作業で、引戸の前後方向（幅方向）の位置調整が容易に行える。また、戸首用ガイド部材は、簡易な構造を有するものであるから、製造コストが安く、従ってこれを取付けた引戸のコストを低減化することができる。
【００１０】
第２の貫通孔の存在する領域の外周端が、円の一部をなす平面形状を有していることが好ましい。この場合、２つの摺動面が、外周端において、円の中心に対して対称な位置に形成されていることがより好ましい。
【００１１】
２つの摺動面間の距離が、溝の両側壁間の距離と等しいか又はわずかに小さいことも好ましい。
【００１２】
２つの摺動面間の距離が、戸首部の上端の幅より大きいことも好ましい。
【００１３】
第２の貫通孔が、第１の貫通孔と同心の円の一部に沿って伸長していることも好ましい。
【００１４】
第１の貫通孔及び第２の貫通孔の周囲に座繰り部がそれぞれ形成されていることも好ましい。
【００１５】
本発明によれば、さらに、上述した少なくとも２つの戸首用ガイド部材を第１のねじ及び第２のねじにより、戸首部の上端に固着した引戸が提供される。
【発明の効果】
【００１６】
本発明によれば、簡単な作業で、引戸の幅方向の位置調整が容易に行える。また、戸首用ガイド部材は、簡易な構造を有するものであるから、製造コストが安く、従ってこれを取付けた引戸のコストを低減化することができる。
【発明を実施するための最良の形態】
【００１７】
図１は本発明の一実施形態として、引戸の一部を上面から見た平面図であり、図２は図１の立断面を示すII−II線断面図であり、図３は図１の側断面を示すIII−III線断面図である。
【００１８】
これらの図において、１０は和式引戸、洋式引戸、障子、ふすま等の引戸、１０ａは引戸１０の本体、１０ｂは引戸本体１０ａ上に一体的に形成されている戸首部、１１は戸首部１０ｂの上端に固着されている戸首用ガイド部材、１２は戸首用ガイド部材１１を戸首部１０ｂに固定するための固定用ねじ（本発明の第１のねじに対応する）、１３は戸首用ガイド部材１１の戸首部１０ｂに対する変位を調整するための調整及び固定用ねじ（本発明の第２のねじに対応する）、１４は戸首部１０ｂが嵌挿される鴨居溝をそれぞれ示している。
【００１９】
戸首部１０ｂには、その上端の一部に引戸の幅方向に伸長する取付け溝１０ｃが設けられており、戸首用ガイド部材１１はこの取付け溝１０ｃ内に取付けられている。
【００２０】
取付け溝１０ｃ及び戸首用ガイド部材１１は、１枚の引戸１０に対して本実施形態では２組設けられている。もちろん、取付け溝１０ｃ及び戸首用ガイド部材１１を３組以上設けても良い。
【００２１】
図４は戸首用ガイド部材１１の構造を示す、（Ａ）左側面図、（Ｂ）平面図、（Ｃ）右側面図、（Ｄ）立面図、（Ｅ）図４（Ｂ）におけるＥ−Ｅ線断面図であり、図５は戸首用ガイド部材１１の枢動動作を説明する平面図である。
【００２２】
戸首用ガイド部材１１は、ＰＯＭ（ポリアセタール）樹脂等の樹脂材料、又は鉄、ステンレス鋼、真ちゅう、銅、アルミニウム等の金属材料によって一体成形されている。
【００２３】
図４に示すように、この戸首用ガイド部材１１の中心軸上には、取付け時に固定用ねじ１２が挿通する第１の貫通孔１１ａと、取付け時に調整及び固定用ねじ１３が挿通する第２の貫通孔１１ｂとが中心を合わせて設けられている。第１の貫通孔１１ａは丸孔であり、第２の貫通孔１１ｂは第１の貫通孔１１ａと同心の円の一部に沿って引戸の幅方向（表裏方向）に伸長する長孔である。なお、これら第１の貫通孔１１ａ及び第２の貫通孔１１ｂの周囲には、座繰り部１１ｃ及び１１ｄがそれぞれ形成されている。このような座繰り部１１ｃ及び１１ｄを設けることによって、固定用ねじ１２と調整及び固定用ねじ１３とを締付け固定した際にそれらの頂部が戸首用ガイド部材１１の上表面から飛び出ない。
【００２４】
第２の貫通孔１１ｂの存在する領域１１ｆは第１の貫通孔１１ａの存在する領域１１ｅより大きな形状となっており、この領域１１ｆの外周端１１ｇは、鴨居溝１４の両側壁１４ａ及び１４ｂに摺動する摺動面を構成している。
【００２５】
領域１１ｆの外周端１１ｇの平面形状は、円の一部をなしている。これにより、鴨居溝１４の両側壁１４ａ及び１４ｂに接する戸首用ガイド部材１１の２つの摺動面は、第１の貫通孔１１ａと同心に枢動した場合にも、常に、円の中心に対して対称な位置となる外周端となり、これら２つの摺動面間の距離は一定に保たれる。この２つの摺動面間の距離、従って領域１１ｆの外周端１１ｇを構成する円の直径は、鴨居溝１４の両側壁１４ａ及び１４ｂ間の長さと等しいか又はわずかに小さい値に選ばれる。また、この円の直径（２つの摺動面間の距離）は、戸首部１０ｂの上端の幅より大きく設定される。
【００２６】
図５に示すように、固定用ねじ１２と調整及び固定用ねじ１３とを仮止めした状態で、戸首用ガイド部材１１を第１の貫通孔１１ａと同心に枢動させることにより、調整及び固定用ねじ１３が第２の貫通孔１１ｂに沿って相対的に移動し、両摺動面を表裏方向（幅方向）の表方向に最大２ｍｍ、裏方向に最大２ｍｍ、計最大４ｍｍだけ移動させることが可能となる。
【００２７】
引戸１０の幅方向の位置調整は、このような戸首用ガイド部材１１を用いて以下のように行われる。
【００２８】
戸首部１０ｂに設けられた２つの取付け溝１０ｃ上にそれぞれ載置された２つの戸首用ガイド部材１１の第１の貫通孔１１ａと第２の貫通孔１１ｂとに固定用ねじ１２と調整及び固定用ねじ１３とをそれぞれ挿通し、軽く締付けた仮止め状態として戸首用ガイド部材１１の可動状態を維持する。この状態で、固定用ねじ１２を挿通した第１の貫通孔１１ａを中心として枢動させ、第２の貫通孔１１ｂにおける調整及び固定用ねじ１３の挿通位置を調整することによって、各摺動面の戸首部１０ｂの側面（表面又は裏面）からの突出量を、換言すれば、２つの摺動面の戸首部１０ｂに対する幅方向位置を調整する。その結果、鴨居溝１４に対する戸首部１０ｂの幅方向位置が調整されることとなる。幅方向位置が適正に調整された状態で、固定用ねじ１２と調整及び固定用ねじ１３とを堅固に締付け、戸首用ガイド部材１１を戸首部１０ｂに完全に固定する。このように鴨居溝１４に対する戸首部１０ｂの幅方向位置が調整されることにより、引戸本体１０ａに反りが生じた場合に、片引きの引戸では方立てと接触する、引違いの引戸では引戸同士が接触することを防止することができる。
【００２９】
このような戸首用ガイド部材１１を用いることにより、簡単な作業で、引戸１０の幅方向の位置調整が容易に行える。また、本実施形態の戸首用ガイド部材１１の構造が簡易であるから、製造コストが安く、従ってこれを取付けた引戸１０のコストをも低減化することができる。
【００３０】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００３１】
【図１】本発明の一実施形態として、引戸の一部を上面から見た平面図である。
【図２】図１の立断面を示すII−II線断面図である。
【図３】図１の側断面を示すIII−III線断面図である。
【図４】戸首用ガイド部材の構造を示す、（Ａ）左側面図、（Ｂ）平面図、（Ｃ）右側面図、（Ｄ）立面図、（Ｅ）図４（Ｂ）におけるＥ−Ｅ線断面図である。
【図５】戸首用ガイド部材の枢動動作を説明する平面図である。
【符号の説明】
【００３２】
１０  引戸
１０ａ  引戸本体
１０ｂ  戸首部
１０ｃ  取付け溝
１１  戸首用ガイド部材
１１ａ  第１の貫通孔
１１ｂ  第２の貫通孔
１１ｃ、１１ｄ  座繰り部
１１ｅ、１１ｆ  領域
１１ｇ  外周端
１２  固定用ねじ
１３  調整及び固定用ねじ
１４  鴨居溝
１４ａ、１４ｂ  両側壁
【図１】
2008101359.tif 000003
【図２】
2008101359.tif 000004
【図３】
2008101359.tif 000005
【図４】
2008101359.tif 000006
【図５】
2008101359.tif 000007